(57)【要約】      （修正有）【課題】手間をかけずに確実に、クリップ本体にすべり止め部材を取り付けることが可能であり、且つ、すべり止め部材同士の接着やすべり止め部材がクリップ本体から外れるのを防止することができるクリップ付きハンガーを提供する。【解決手段】衣類をクリップで挟んで吊り下げるクリップ付きハンガーにおいて、クリップは、衣類を挟む機構を有するクリップ本体１１と、クリップ本体１１の衣類に接する面に設けられたすべり止め部材１２とを有し、クリップ本体１１とすべり止め部材１２とが、結合層を介して一体に成形されている。【選択図】図２
0003230063.tif 000002
【実用新案登録請求の範囲】
【請求項１】
衣類をクリップで挟んで吊り下げるクリップ付きハンガーにおいて、
前記クリップは、前記衣類を挟む機構を有するクリップ本体と、前記クリップ本体の衣類に接する面に設けられたすべり止め部材とを有し、前記クリップ本体と前記すべり止め部材とが、結合層を介して一体に成形されていることを特徴とする、クリップ付きハンガー。
【請求項２】
前記すべり止め部材がプラスチック製であることを特徴とする、請求項１に記載のクリップ付きハンガー。
【請求項３】
前記クリップ本体と前記すべり止め部材とが、二色成形により一体成形されていることを特徴とする、請求項２に記載のクリップ付きハンガー。
【請求項４】
前記すべり止め部材は、前記衣類に接する表面に、すべり止め効果を有する微細な凹凸が設けられていることを特徴とする、請求項１〜３のいずれか一項に記載のクリップ付きハンガー。
【請求項５】
前記微細な凹凸は、シボ加工により形成されていることを特徴とする、請求項４に記載のクリップ付きハンガー。
【請求項６】
前記クリップ本体および前記すべり止め部材がリサイクル可能であることを特徴とする、請求項１〜５のいずれか一項に記載のクリップ付きハンガー。
【考案の詳細な説明】
【技術分野】
【０００１】
本考案は、衣類等をクリップで挟んで吊り下げるクリップ付きハンガーに関するものである。
【背景技術】
【０００２】
例えば衣料品を販売する店舗等において、衣類、特にパンツやスカート等のボトムス用のハンガーとして、衣類をクリップで挟んで吊り下げるクリップ付きハンガーが使用されている。クリップ付きハンガーは、一般には、例えば図１に示すように、吊り下げフック２、本体部３、クリップ４を有し、クリップ４の衣類に接する面には、すべり止め部材が設けられている。
【０００３】
従来、衣類等を挟むクリップのすべり止め部材としては、例えば特許文献１、２等に開示されているようにウレタンが広く用いられ、金属製や硬質プラスチック製などのクリップ本体に、ウレタン製のすべり止め部材が、接着剤や両面テープで貼り付けられていた。
【先行技術文献】
【特許文献】
【０００４】
【特許文献１】特開平１０−３２８０１２号公報
【特許文献２】実登第３０６４７３７号公報
【考案の概要】
【考案が解決しようとする課題】
【０００５】
しかしながら、接着剤や両面テープは繰り返し使用しているうちに剥がれやすくなるうえ、すべり止め部材の接着剤や両面テープによる接着は、従来手作業で行われており、手間がかかるという問題がある。
【０００６】
また、発泡ウレタンによるすべり止め部材は、繰り返し使用により劣化しやすいという問題もある。さらに、クリップ付きハンガーの保管場所や運搬時等の環境が高温多湿の場合には、ウレタンが溶融してすべり止め部材同士が接着し、クリップとして使用できなくなることがある。そして、大量の製品に対してそのような状態の有無を検品するのは、極めて手間を要する作業である。
【０００７】
本考案は、上記課題を解決し、手間をかけずに確実に、クリップ本体にすべり止め部材を取り付けることが可能であり、且つ、すべり止め部材同士の接着やすべり止め部材がクリップ本体から外れるのを防止することができるクリップ付きハンガーの提供を目的とする。
【課題を解決するための手段】
【０００８】
上記問題を解決するため、本考案は、衣類をクリップで挟んで吊り下げるクリップ付きハンガーにおいて、前記クリップは、前記衣類を挟む機構を有するクリップ本体と、前記クリップ本体の衣類に接する面に設けられたすべり止め部材とを有し、前記クリップ本体と前記すべり止め部材とが、結合層を介して一体に成形されていることを特徴とする、クリップ付きハンガーを提供する。
【０００９】
前記すべり止め部材がプラスチック製でもよい。その場合、前記クリップ本体と前記すべり止め部材とが、二色成形により一体成形されてもよい。
【００１０】
前記すべり止め部材は、前記衣類に接する表面に、すべり止め効果を有する微細な凹凸が設けられていることが好ましい。その場合、前記微細な凹凸は、シボ加工により形成されてもよい。
【００１１】
前記クリップ本体および前記すべり止め部材がリサイクル可能であってもよい。
【考案の効果】
【００１２】
本考案によれば、クリップ本体とすべり止め部材とが確実に取り付けられ、且つ、すべり止め部材同士の接着やすべり止め部材がクリップ本体から外れるのを防止することができる。
【図面の簡単な説明】
【００１３】
【図１】クリップ付きハンガーの一例を示す正面図である。
【図２】クリップ本体とすべり止め部材との接合面の例を示す斜視図である。
【図３】クリップ本体とすべり止め部材との接合部の概略構造を示す断面図である。
【図４】クリップ本体とすべり止め部材との接合面の異なる例を示す斜視図である。
【考案を実施するための形態】
【００１４】
以下、本考案の実施の形態を、図を参照して説明する。なお、本明細書および図面において、実質的に同一の機能構成を有する要素においては、同一の符号を付することにより重複説明を省略する。
【００１５】
図１は、本考案の実施の形態の一例としてのクリップ付きハンガー１を示し、ハンガーラック等に引っ掛ける吊り下げフック２、本体部３、２つのクリップ４，４を有する。吊り下げフック２や本体部３は、例えばスチール製あるいは硬質プラスチック製である。クリップ付きハンガー１は、例えば衣料品店でパンツやスカート等のボトムスを販売する際や、クリーニング後のボトムスを吊り下げる際などに用いられる。
【００１６】
クリップ４は、衣類を挟む一対のクリップ本体１１と、対向する一対のクリップ本体１１に弾性を付与するばね（図示省略）と、クリップ本体１１の衣類に接する面に設けられたすべり止め部材１２とを有している。クリップ本体１１は例えば硬質プラスチック製であり、対向するクリップ本体１１同士がばねの弾性により衣類を挟んで保持する通常のクリップの機構を有している。すべり止め部材１２は、衣類のずれや脱落を防止するために設けられ、さらに衣類の生地を損傷しない材質であることが好ましく、熱可塑性樹脂製、例えばＴＰＥ等が好適である。また、すべり止め部材１２は、衣類に接する面を粗面にしてグリップ力を向上させることが好ましく、微細な凹凸が例えばシボ加工等によって形成されてもよい。
【００１７】
図２は、本考案におけるクリップ本体１１とすべり止め部材１２との接合部の一例を示すものである。図２（ａ）に示すクリップ本体１１とすべり止め部材１２との接合部は、図２（ｂ）に示すように、クリップ本体１１とすべり止め部材１２とが隙間なく一体的に形成される。クリップ本体１１とすべり止め部材１２を一体的に形成する手段は、例えば二色成形が好ましい。二色成形を行うことにより、図３に示すように、クリップ本体１１とすべり止め部材１２との間に、これらを強固に結合させる結合層１４が形成され、クリップ本体１１とすべり止め部材１２が強固に一体化される。この結合層１４は、例えば二色成形により、クリップ本体１１およびすべり止め部材１２の接合部が加熱されて、クリップ本体１１とすべり止め部材１２とが物理的結合、化学結合することにより形成される。物理的結合は、溶けた材料が相互に入り込みクサビ状、カギ状の機械的結合状態を有し、また、化学結合は、例えばポリマー分子上の絡み合い、共結晶化、ポリマー鎖間の化学反応などの現象に起因することが考えられる。さらに、すべり止め部材１２の、衣類に接する面１３には、すべり止め効果を向上させるための微細な凹凸が形成されている。
【００１８】
本考案において、二色成形によりクリップ本体１１とすべり止め部材１２とを一体化する場合、それぞれ二色成形が可能な材質が用いられる。図２に示すように接合部が平坦面の場合には、強固な物理的結合、化学結合による結合層１４を形成することが必要であり、クリップ本体１１の材質を熱可塑性樹脂とし、すべり止め部材１２の材質を、クリップ本体１１の材質と相性の良い熱可塑性樹脂とすることが好ましい。
【００１９】
また、本考案は、クリップ本体１１とすべり止め部材１２との接合面に、互いに係合させる突起２１およびくぼみ２２を設けてもよく、図４（ａ）〜（ｄ）は、その例を示す。図４（ａ）は、一方（クリップ本体１１側）に円柱状の突起２１を有し、他方（すべり止め部材１２側）にその突起２１をはめ込むくぼみ２２（図４（ａ）の例では孔）が設けられたものである。このように、一方の面に突起２１、他方の面にその突起２１がはめ込まれるくぼみ２２を設けることにより、その突起２１およびくぼみ２２の形状によっては、強固な化学結合を形成しなくてもクリップ本体１１とすべり止め部材１２とが結合される。その場合には、クリップ本体１１およびすべり止め部材１２として使用できる材質の選択範囲が広がる。突起２１およびくぼみ２２は、例えば長方形（図４（ｂ））や楕円（図４（ｃ））、菱形（図４（ｄ））等、任意の形状にすることができる。
【００２０】
本考案によれば、結合層１４を介して一体化されたクリップ本体１１とすべり止め部材１２とが機械で一体成形されているので、すべり止め部材１２がクリップ本体１１からずれたり外れたりすることがなく、しかも面倒な手作業を行う必要がなく生産性が向上する。また、すべり止め部材１２に軟質プラスチックを用いて、さらに表面に微細な凹凸を形成することにより、衣類を挟む効果を維持しつつ、未使用時には対向するすべり止め部材１２同士が接着するのを防ぐことができる。
【００２１】
また、クリップ本体１１およびすべり止め部材１２は、リサイクル可能なプラスチック製とすることが好ましい。
【００２２】
以上、本考案の好適な実施形態について説明したが、本考案はかかる例に限定されない。当業者であれば、特許請求の範囲に記載された技術的思想の範疇内において、各種の変更例または修正例に想到しうることは明らかであり、それらについても当然に本考案の技術的範囲に属するものと了解される。
【００２３】
例えば、上記実施の形態では、クリップが本体部に取り付けられたものとしたが、つり下げフックに直接クリップが取り付けられたクリップ状のハンガーでもよい。
【産業上の利用可能性】
【００２４】
本考案は、衣類、タオルやスカーフ等の布類をクリップで挟んで吊り下げるクリップ付きハンガーに適用できる。
【符号の説明】
【００２５】
１    クリップ付きハンガー
２    吊り下げフック
３    本体部
４    クリップ
１１  クリップ本体
１２  すべり止め部材
１３  衣類に接する面
１４  結合層
２１  突起
２２  くぼみ
【図１】
0003230063.tif 000003
【図２】
0003230063.tif 000004
【図３】
0003230063.tif 000005
【図４】
0003230063.tif 000006